(57)【要約】【課題】円盤状のメディアに対し印刷を行う際に、印刷したい画像の配置場所によっては切り取られたくない画像が切り取られることがあることを解消し、画像の特徴量に応じて円盤状の画像の配置を最適化を自動的に行うことのできる円盤状のメディアに対する印刷装置を提供することを目的とする。【解決手段】円盤状のメディアに対し印刷を行う印刷装置において、印刷すべき画像データ４における画像の特徴を抽出する手段と、抽出した特徴量に応じて画像を２値化する手段と、その２値化したデータと予め登録しておいた最適に配置されたマスクパターン６における実印字領域および非印字領域を表す２値のデータとを比較する手段と、比較した結果を元に円盤状の画像の配置場所を決定する手段とを有する印刷装置。【選択図】  図３
2004180100.tif 000002
【特許請求の範囲】
【請求項１】
円盤状のメディアに対し印刷を行う印刷装置において、
印刷すべき画像データにおける画像の特徴を抽出する手段と、抽出した特徴量に応じて画像を２値化する手段と、その２値化したデータと予め登録しておいたマスクパターンにおける実印字領域および非印字領域を表す２値のデータとを比較する手段と、比較した結果を元に円盤状の画像の配置場所を決定する手段とを有することを特徴とする円盤状のメディアに対する印刷装置。
【請求項２】
前記特徴は、エッジ量であることを特徴とする請求項１記載の円盤状のメディアに対する印刷装置。
【請求項３】
前記特徴は、色度分布であることを特徴とする請求項１記載の円盤状のメディアに対する印刷装置。
【請求項４】
前記特徴は、特定色であることを特徴とする請求項１記載の円盤状のメディアに対する印刷装置。
【発明の詳細な説明】
【０００１】
【発明の属する技術分野】
本発明は、ＣＤ−Ｒ／ＲＷやＤＶＤ−Ｒ／ＲＷメディアなどの円盤状のメディアに対する印刷装置に関する。
【０００２】
【従来の技術】
パーソナルコンピュータやメモリカードなどに格納された画像データをＣＤ−Ｒ／ＲＷやＤＶＤ−Ｒ／ＲＷメディアなどの円盤状のメディアの表面に印刷を行う際、画像データのどの部分に円盤状の形状を配置するか、または円盤状の形状のどの部分に画像データを配置するかという方法として、例えば、画像データの中央と円盤状の形状の中心を一致させて配置する方法や、画像データと円盤状の形状の左上隅を一致させて配置する方法などが提案されている（例えば特許文献１参照）。
【０００３】
以下、従来の方法について、図６〜図１０を用いて、説明する。
【０００４】
図６は従来の印刷装置の画像データの中心位置の説明図、図７は従来の印刷装置の円盤状の実印字領域の説明図、図８は従来の印刷装置の印刷画像のイメージ図、図９は従来の印刷装置のフローチャート、図１０は従来の方法により特徴部分が切り取られる例を示す説明図である。
【０００５】
図６において、画像データ１１は、ＣＤ−Ｒ／ＲＷやＤＶＤ−Ｒ／ＲＷメディアなどの円盤状のメディアに対し印刷を行うための画像データであり、画像データの中心１２は、画像データ１１に対し２つの対角線の交わった点である。
【０００６】
図７において、円盤状の実印字領域１３は、ＣＤ−Ｒ／ＲＷやＤＶＤ−Ｒ／ＲＷなどの円盤状のディスクの形状を表したものであり、実際に印字される領域である。また正方形の印刷領域１４は、円盤状の実印字領域１３に外接する正方形の領域であり、円盤状の実印字領域の中心１５は、正方形の印刷領域１４に対し２つの対角線の交わった点である。
【０００７】
図８において、印刷画像のイメージ１６は、画像データ１１と円盤状の実印字領域１３とを重ね合わせたときのイメージ図である。
【０００８】
ここではＣＤ−Ｒ／ＲＷやＤＶＤ−Ｒ／ＲＷメディアの大きさとして、１２ｃｍのメディアを例に説明する。
【０００９】
図９のフローチャートにおいて、印刷画像のイメージ１６を作成するために、まず画像データ１１の短辺の長さを正方形の印刷領域１４の１辺の長さと等しくなるように、画像データ１１に対し解像度変換を行う（ステップ１１）。
【００１０】
例えば画像データ１１の縦方向の長さ（Ｈｃｍ（Ｈは実数））が横方向の長さ（Ｗｃｍ（Ｗは実数））よりも短い場合、すなわち「Ｈ≦Ｗ」の場合、画像データ１１の縦方向の長さ（Ｈｃｍ）が１２ｃｍになるように画像データ１１に対し解像度変換を行う。これにより画像データ１１の縦方向の長さは１２ｃｍ、同横方向の長さは１２×Ｗ÷Ｈｃｍとなる。
【００１１】
また画像データ１１の縦方向の長さ（Ｈｃｍ）が横方向の長さ（Ｗｃｍ）よりも長い場合、すなわち「Ｈ≧Ｗ」の場合、画像データ１１の横方向の長さ（Ｗｃｍ）が１２ｃｍになるように画像データ１１に対し解像度変換を行う。これにより画像データ１１の横方向の長さは１２ｃｍ、同縦方向の長さは１２×Ｈ÷Ｗｃｍとなる。
【００１２】
以上により、画像データ１１の短辺の長さが１２ｃｍに、長辺の長さが１２ｃｍ以上に変換される。
【００１３】
ここで前記解像度変換を行った画像データ１１の中心と円盤状の実印字領域の中心１５の位置を一致させることにより、印刷画像のイメージ１６が作成される（ステップ１２）。
【００１４】
上記処理に加え、前記作成された印刷画像のイメージ１６をユーザが任意の方向へ移動させることができ、これにより印刷させたい画像領域が円盤状の形状によって、切り取られてほしくない部分を切り取られてしまうことのないようユーザが画像の配置場所を変更できるようにすることも可能となる。
【００１５】
【特許文献１】
特開２００１−２７９４３号公報（第５頁、図４）
【００１６】
【発明が解決しようとする課題】
しかしながら、上述した従来の方法においては、例えば図１０（ａ）に示すように、画像の中心付近や四隅付近に切り取られてほしくない画像があったとしても、ユーザが配置場所の調整を行わなければ、図１０（ｂ）に示すように、画像の中心付近および四隅付近は円盤状の形状により、切り取られてしまう。
【００１７】
本発明は、前記従来の問題点を解決するもので、画像の特徴量により画像データの配置場所の最適化を自動的に行うことのできる円盤状のメディアに対する印刷装置を提供することを目的とする。
【００１８】
【課題を解決するための手段】
本発明においては、円盤状のメディアに対し印刷を行う印刷装置において、印刷すべき画像データにおける画像の特徴を抽出する手段と、抽出した特徴量に応じて画像を２値化する手段と、その２値化したデータと予め登録しておいたマスクパターンにおける実印字領域と非印字領域とに分けた２値のデータとを比較する手段と、比較した結果を元に円盤状の画像の配置場所を決定する手段とを備えたものである。
【００１９】
この発明によれば、画像の特徴量により画像データの配置場所の最適化を自動で行うことのできる円盤状のメディアに対する印刷装置が得られる。
【００２０】
【発明の実施の形態】
本発明の請求項１記載の発明は、円盤状のメディアに対し印刷を行う印刷装置において、印刷すべき画像データにおける画像の特徴を抽出する手段と、抽出した特徴量に応じて画像を２値化する手段と、その２値化したデータと予め登録しておいたマスクパターンにおける実印字領域および非印字領域を表す２値のデータとを比較する手段と、比較した結果を元に円盤状の画像の配置場所を決定する手段とを有することを特徴とする円盤状のメディアに対する印刷装置としたものであり、ユーザが何もしなくても円盤状の画像の配置場所の最適化を可能にするという作用を有する。
【００２１】
請求項２記載の発明は、前記特徴は、エッジ量であることを特徴とする請求項１記載の円盤状のメディアに対する印刷装置としたものであり、ユーザが何もしなくてもエッジが多い領域は切り取られず、エッジが少ないベタ領域などが切り取られるように、円盤状の画像の配置場所の最適化を可能にするという作用を有する。
【００２２】
請求項３記載の発明は、前記特徴は、色度分布であることを特徴とする請求項１記載の円盤状のメディアに対する印刷装置としたものであり、ユーザが何もしなくても彩度が高い領域は切り取られず、彩度が低く視覚的に目立たない領域が切り取られるように、円盤状の画像の配置場所の最適化を可能にするという作用を有する。
【００２３】
請求項４記載の発明は、前記特徴は、特定色であることを特徴とする請求項１記載の円盤状のメディアに対する印刷装置としたものであり、ユーザが何もしなくても特定色として特に肌色が存在する領域は切り取られず、肌色が存在しない領域が切り取られるように、円盤状の画像の配置場所の最適化を可能にするという作用を有する。
【００２４】
以下、本発明の実施の形態について図１から図５を参照しながら説明する。
【００２５】
図１は本発明の実施の形態１の印刷領域の説明図であり、円盤状の実印字領域１と、正方形の印刷領域２を示している。
【００２６】
図２は本発明の実施の形態１の印刷装置のマスクパターンの説明図であり、図１に示す正方形の印刷領域２に対し円盤状の実印字領域と非印字領域とに分けた２値のマスクパターン３を示している。
【００２７】
図３は本発明の実施の形態１の印刷装置の配置場所の最適化の説明図であり、印刷を行う画像データ４に対し、２値化処理により作成された２値化データ５と、２値化データ５に対し最適に配置されたマスクパターン６を示している。
【００２８】
図４は本発明の実施の形態１の印刷装置のフローチャートである。
【００２９】
図５は実施の形態１により最適に配置された画像の例を示す説明図である。
【００３０】
本実施の形態においては、ＣＤ−Ｒ／ＲＷやＤＶＤ−Ｒ／ＲＷメディアなどの円盤状のメディアにおける円盤状の実印字領域１と、この円盤状の実印字領域１に対し外接する正方形領域である正方形の印刷領域２において、正方形の印刷領域２をｎ×ｎ画素（例として、ｎ＝２７）から成る領域とし、円盤状の実印字領域１に対し“１”、非印字領域に対し“０”を与えることにより、図２における２値データによるマスクパターン３を生成し、このマスクパターンを予め登録しておく。
【００３１】
ここで印刷したい画像データ４の最初の注目画素に対し特徴を抽出し（ステップ１）、特徴があれば注目画素に対し”１”をセットし（ステップ２）、特徴がなければ注目画素に対し”０”をセットする（ステップ３）ことにより、２値化処理が行われる。以上により注目画素の２値化処理が終わり、画像データ４において２値化処理が未処理の画素が存在すれば（ステップ４）、次の注目画素へ移り（ステップ５）、同様にステップ１〜３を繰り返し２値化処理を行い、画像データ４全体を２値化データに変換する。上記特徴の抽出方法についての詳細な説明は、後述する。
【００３２】
次に上記２値化処理により作成された２値化データ５において、一番左上の画素を注目画素とし、注目画素から右方向へｎ（例としてｎ＝２７）画素、下方向へｎ画素のｎ×ｎ画素の正方領域を取り出し、予め登録しておいたマスクパターン３とを比較する。比較方法は、ｎ×ｎ画素の正方領域と２値データのマスクパターン３とにおいて、一致する画素の個数をカウントする（ステップ６）。そのカウントが終わると、次の画素を注目画素とし（ステップ８）、同様にｎ×ｎ画素の正方領域を取り出し、マスクパターン３と一致する画素の個数をカウントする（ステップ６）。全ての画素に対しマスクパターン３との比較が終了すると（ステップ７）、上記求めたカウント数が最も大きくなる画素位置を印刷位置と決定すること（ステップ９）により、最適に配置されたマスクパターン６が自動的に求められる。
【００３３】
ここで特徴抽出方法について詳細を述べる。
【００３４】
第１の特徴抽出方法として、まず下記の（式１）に示す処理を用いることにより、ＲＧＢ３色の画像データ４に対し各画素毎の輝度値を求め、次に下記の（式２）に示す処理を用いることにより、注目画素のエッジ量を抽出する。
【００３５】
2004180100.tif 000003
抽出したエッジ量とある閾値（例として閾値＝２５６）とを比較し、エッジ量が閾値以上であれば、注目画素は特徴があると判断し、閾値未満であれば、注目画素は特徴がないと判断する。
【００３６】
輝度値を抽出する他の方法として、Ｇｒｅｅｎ値のみを用いる方法やビットシフトのみにより割り算が可能な下記の（式３）に示す処理などＲＧＢ３色から単一の色データに変換する方法であればなんでも構わない。
【００３７】
2004180100.tif 000004
またエッジ量の抽出方法として一般的なマトリクス演算を用いても構わない。
【００３８】
更に、エッジ量の抽出処理と輝度値抽出処理を入れ替えても注目画素に対し、エッジの有無判定を行うことができる。
【００３９】
これにより、エッジがあるという特徴がある画素は“１”にセットされ、エッジがあるという特徴がない画素は“０”にセットされ、画像データ４の中で切り取られてしまう領域は、ベタ領域などのエッジがない領域になる。
【００４０】
この第１の特徴抽出方法により抽出された画像の例を図５に示す。図５（ａ）は多値の画像データ４に対し、特徴抽出処理により２値化された２値化データ５の例を示す。また、図５（ｂ）は、最適に配置されたマスクパターン６により、円盤状に切り取られる位置を示している。この方法を適用することにより、図１０（ｂ）に示すように特徴部分が切り取られることがない。
【００４１】
また第２の特徴抽出方法として、下記の（式４）に示す処理を用いることにより、注目画素の色度分布、特に彩度を抽出する。
【００４２】
2004180100.tif 000005
抽出した彩度とある閾値（例として閾値＝１２８）とを比較し、彩度が閾値以上であれば、注目画素は特徴があると判断し、閾値未満であれば、注目画素は特徴がないと判断する。
【００４３】
彩度を抽出する他の方法として、ＲＧＢ値の平均値と各ＲＧＢ値との差分を用いる方法など、ＲＧＢ値が全て等しい無彩色の色との差がわかる方法であればなんでも構わない。
【００４４】
これにより、彩度があるという特徴がある画素は“１”にセットされ、彩度があるという特徴がない画素は“０”にセットされ、画像データの中で切り取られてしまう領域は、彩度が低く、視覚的に目立たない領域になる。
【００４５】
また第３の特徴抽出方法として、下記の（式５）に示す処理を満たすか否かにより、注目画素の特定色（例として肌色）の分布の有無を抽出する。
【００４６】
１９０≦（注目画素のＲ値）≦２５０
かつ
１４０≦（注目画素のＧ値）≦２００
かつ
１１０≦（注目画素のＢ値）≦１７０      ・・・・・・・・（式５）
抽出した特定色（ここでは例として肌色）の有無により、特定色が存在すれば、注目画素は特徴があると判断し、特定色が存在しなければ、注目画素は特徴がないと判断する。
【００４７】
これにより、特定色が存在するという特徴がある画素は“１”にセットされ、特定色が存在するという特徴がない画素は“０”にセットされ、画像データの中で切り取られてしまう領域は、肌色がなく、人物の顔が存在しない領域になる。
【００４８】
以上、特徴抽出方法の画像データの特徴を抽出する例を示したが、それ以外でも、画像の特徴を示すものであれば何でもよい。また複数の特徴を組み合わせることにより、より印刷画像データの特徴を抽出できる。
【００４９】
なお、ＣＤ−Ｒ／ＲＷやＤＶＤ−Ｒ／ＲＷメディアの大きさとしては、１２ｃｍや８ｃｍのものなどが実在するが、メディアの大きさに関係なく本発明を実現することができる。
【００５０】
【発明の効果】
以上のように本発明によれば、円盤状のメディアに対する印刷装置において、印刷すべき画像データにおける画像の特徴を抽出する手段と、抽出した特徴量に応じて画像を２値化する手段と、その２値化したデータと予め登録しておいたマスクパターンにおける実印字領域および非印字領域を表す２値のデータとを比較する手段と、比較した結果を元に円盤状の画像の配置場所を決定する手段とを有することにより、画像データの配置場所の最適化を自動的に行うことができる。
【図面の簡単な説明】
【図１】本発明の実施の形態１の印刷領域の説明図
【図２】本発明の実施の形態１の印刷装置のマスクパターンの説明図
【図３】本発明の実施の形態１の印刷装置の配置場所の最適化の説明図
【図４】本発明の実施の形態１の印刷装置のフローチャート
【図５】実施の形態１により最適に配置された画像の例を示す説明図
【図６】従来の同印刷装置の画像データの中心位置の説明図
【図７】従来の印刷装置の円盤状の実印字領域の説明図
【図８】従来の印刷装置の印刷画像のイメージ図
【図９】従来の印刷装置のフローチャート
【図１０】従来の方法により特徴部分が切り取られる例を示す説明図
【符号の説明】
１  円盤状の実印字領域
２  正方形の印刷領域
３  マスクパターン
４  画像データ
５  ２値化データ
６  最適に配置されたマスクパターン
１１  画像データ
１２  画像データの中心
１３  円盤状の実印字領域
１４  正方形の印刷領域
１５  円盤状の実印字領域の中心
１６  印刷画像のイメージ
【図１】
2004180100.tif 000006
【図２】
2004180100.tif 000007
【図３】
2004180100.tif 000008
【図４】
2004180100.tif 000009
【図５】
2004180100.tif 000010
【図６】
2004180100.tif 000011
【図７】
2004180100.tif 000012
【図８】
2004180100.tif 000013
【図９】
2004180100.tif 000014
【図１０】
2004180100.tif 000015